(57)【要約】【課題】ドアスコープが設けられるドア、及び室内又は車内から窓ガラスに取り付け可能とする小型監視カメラ及びその取り付け方法を提供する。【解決手段】監視カメラ１０はドアスコープ３１を有するドア３又は窓ガラス４に取り付けられる。ピンホールカメラ１はピンホール１ａを通して得られる画像を映像出力する。取着部材２はピンホールカメラ１を着脱自在に取り付ける。取着部材２は、ドア３又は窓ガラス４に貼着可能な平坦部２１を備える。固定部２２は一対の固定片２２ａ・２２ｂから成り、平坦部２１に対してピンホール１ａの形成面が近接又は離反可能にピンホールカメラ１が固定される。【選択図】        図１
2006197091.tif 000002
【特許請求の範囲】
【請求項１】
ドアスコープを有するドア又は窓ガラスに取り付けられるための監視カメラであって、
ピンホールを通して得られる画像を映像出力するピンホールカメラと、
このピンホールカメラを着脱自在に取り付け可能な取り付け部材と、を備え、
前記取り付け部材は、前記ドア又は窓ガラスに貼着可能な平坦部と、この平坦部に対して前記ピンホールの形成面が近接又は離反可能に前記ピンホールカメラが固定される固定部と、を備える監視カメラ。
【請求項２】
前記ピンホールカメラは前記固定部に回動可能に取り付けられる請求項１記載の監視カメラ。
【請求項３】
前記ピンホールカメラは、前記ピンホールの形成面を有する鏡筒部が突出する略直方体のケースを備え、
前記固定部は、前記平坦部に対して略直角に屈折する一対の固定片から成り、
前記ケースにおいて対向する一対の側面が前記一対の固定片で挟持され、かつ、この一対の側面が前記一対の固定片にねじ止めされる請求項１又は２記載の監視カメラ。
【請求項４】
前記取り付け部材は、前記平坦部の略中央部に前記固定部が設けられ、前記ピンホールと対向する当該平坦部に映像取り込み可能な貫通穴が設けられる請求項１から３のいずれかに記載の監視カメラ。
【請求項５】
前記ピンホールカメラに接続されるケーブルを留めるクランプ部が前記平坦部に複数設けられている請求項１から４のいずれかに記載の監視カメラ。
【請求項６】
前記取り付け部材は金属板で成形される請求項１から５のいずれかに記載の監視カメラ。
【請求項７】
前記ピンホールカメラ及び前記取り付け部材は黒色に被覆される請求項１から６のいずれかに記載の監視カメラ。
【請求項８】
ドアスコープを有するドア又は窓ガラスに監視カメラを取り付ける方法であって、
ピンホールを通して得られる画像を映像出力するピンホールカメラと、
このピンホールカメラを着脱自在に取り付け可能な取り付け部材と、備え、
前記取り付け部材は平坦部と固定部を備え、
前記平坦部は前記ドア又は窓ガラスに貼着され、この平坦部に対して前記ピンホールの形成面が近接又は離反可能に前記ピンホールカメラが固定される監視カメラの取り付け方法。
【請求項９】
前記ピンホールカメラは前記固定部に回動可能に取り付けられる請求項８記載の監視カメラの取り付け方法。
【発明の詳細な説明】
【技術分野】
【０００１】
本発明は監視カメラ及びその取り付け方法に関する。特に、室内用及び車載用に好適な監視カメラ及びその取り付け方法に関する。
【背景技術】
【０００２】
近年では、店舗、オフィース、住居などに、例えば、防犯上気になる場所又は目の届かない場所に監視カメラが設置されている。又、死角をカバーするために車両にも監視カメラが設置される場合がある。監視カメラは、人目に触れるように室外に設置すること自体に威嚇効果があるとされているが、逆に、人目に触れないように室内に設置されることもある。例えば、ドアに設けられるドアスコープに監視カメラを取り付け、ドアに近づくことなく、この監視カメラに接続される室内のモニターで来客者や不特定の訪問販売者・訪問勧誘者を確認できる。
【０００３】
前述のようなドアスコープに取り付けられる監視カメラ付きの撮像装置としては、既設のドアスコープを広角レンズ付きの専用のドアスコープに換えることなく、既設のドアスコープを取り外さずに簡単な方法で、一般ユーザーでも容易にこれに取り付け可能とし、しかも鮮明な映像が得られる撮像装置が発明されている（例えば特許文献１参照）。
【０００４】
図８は、特許文献１による撮像装置の内部構成を示す図である。本願の図８は、特許文献１の図１に対応している。図８において、撮像装置は、ＣＣＤ（撮像器）８２０、望遠レンズ８２１、液晶ディスプレイ（表示器）８２２、及び電池８２５を筺体８２６に収容している。そして、ドアスコープ８１内に設けられる広角レンズ（図示せず）と望遠レンズ８２１とが同一光軸上に配置されるように、筺体８２６の裏側の凹み８２７をドアスコープ８１の端部８３ａに合わせて、接着剤あるいは両面テープにより筺体８２６がドア８２に固定される。
【０００５】
特許文献１による撮像装置は、既設のドアスコープを通してドア８２外部の情景を撮像器８２０が捕らえ、表示器８２２に映し出すことができるので、ドア８２に近づかなくても、外部の様子を見ることができるとしている。又、広角レンズと望遠レンズ８２１とを組み合わせた光学系にすることにより、ドアスコープ８１を通して見る画像とは異なって、違和感のない画像が得られるとしている。
【０００６】
そして、筺体８２６をドア８２に固定する方法としては、ドアの平坦部に対向する筺体の接触部を平坦にしておくと、接着剤あるいは両面テープを用いて取り付けることができるとしている。又、筺体８２６に、ドア８２の係合体と係合する被係合体を設けて、両者を引っ掛けて係合することによっても取り付けることができるとしている。更に又、筺体８２６の四隅に設けられる固定部８２９に磁石、吸盤といった吸着体を設けて、筺体８２６をドア８２に吸着させることによっても取り付けることができるとしている。
【０００７】
図８において、特許文献１による撮像装置は、ＣＣＤ８２０及び制御回路等を搭載する実装基板８２３と、ＣＣＤ８２０を起動させるスタートボタン８２４と、を備えている。更に、望遠レンズ８２１を保持する鏡筒８３０と、実装基板８２３に固定された固定筒８３１と、を備えている。鏡筒８３０は固定筒８３１にねじ込まれ支持されており、回動自在かつ光軸方向に移動自在とされる。
【０００８】
図８において、望遠レンズ８２１の焦点距離を調整するための調整手段が設けられている。この手段として、鏡筒８３０の外周にギア８３２が嵌め込まれ、ギア８３２に噛み合う調整ギア８３３が設けられている。調整ギア８３３は筺体８２６に軸８３４を介して回転自在に支持され、その上部が筺体８２６の上側から外部に突出している。したがって、調整ギア８３３の上部を回転させることにより、筺体８２６の固定後に外部から操作するだけで、容易にピント調整を行うことができるとしている。
【特許文献１】特開平１１−２１５４８５号公報
【発明の開示】
【発明が解決しようとする課題】
【０００９】
しかしながら、特許文献１による撮像装置は、ドアスコープ用として有用であるが、構成を複雑にしており、重量のあるものとしている。又、望遠レンズの焦点距離を調整するための機構も必要としている。したがって、ドアスコープに小型監視カメラのみを取り付け、現在、一般家庭でも普及しているパーソナルコンピュータにこの小型監視カメラを接続して、パーソナルコンピュータに備わるＣＲＴで映像を取り込めば、監視システムとしては安価であり、小型監視カメラであればドアにかかる負荷も少なくなると考えられる。
【００１０】
しかしながら、市販されている小型監視カメラは、一般に天井から吊り下げたり、載置されたりするために、これらの設置方法に有効となるように、従来の小型監視カメラは吊り下げ金具や載置金具を設ける構造を有している。
【００１１】
そして、ドアスコープ用の小型監視カメラはこれまで考えられていなかった。又、窓ガラスに直接、取り付けられる室内用の小型監視カメラもこれまで考えられていなかった。更に、車両の窓ガラスに小型監視カメラを取り付け、死角をカバーする小型監視カメラも考えられていなかった。室内又は車内に小型監視カメラを取り付けることにより、防滴構造が不要になるというメリットがある。このような背景において、ドアに取り付け可能なドアスコープ用の小型監視カメラ、又は、窓ガラスに取り付け可能な室内用と車載用に共用できる汎用性のある小型監視カメラ及びその取り付け方法が求められる。つまり、これらが本発明の課題といってよい。
【００１２】
本発明は、このような課題に鑑み、ドアスコープが設けられるドア、及び室内又は車内から窓ガラスに取り付け可能とする小型監視カメラ及びその取り付け方法を提供することを目的とする。
【課題を解決するための手段】
【００１３】
発明者は、上記目的を満たすため、小型監視カメラとしてピンホールカメラを利用し、このピンホールカメラを着脱する取り付け部材を設け、この取り付け部材をドアスコープが設けられるドア、又は窓ガラスに貼着可能とする構造とし、以下のような新たな監視カメラ及びその取り付け方法を発明した。
【００１４】
（１）  ドアスコープを有するドア又は窓ガラスに取り付けられるための監視カメラであって、ピンホールを通して得られる画像を映像出力するピンホールカメラと、このピンホールカメラを着脱自在に取り付け可能な取り付け部材と、備え、前記取り付け部材は、前記ドア又は窓ガラスに貼着可能な平坦部と、この平坦部に対して前記ピンホールの形成面が近接又は離反可能に前記ピンホールカメラが固定される固定部と、を備える監視カメラ。
【００１５】
（１）の発明は、ドアスコープを有するドア又は窓ガラスに取り付けられるための監視カメラであって、この監視カメラはピンホールカメラと取り付け部材を備えている。ピンホールカメラはピンホールを通して得られる画像を映像出力する。取り付け部材は、ピンホールカメラを着脱自在に取り付け可能としている。
【００１６】
例えば、ピンホールカメラはピンホールを通して画像が入射され、この入射画像が収束レンズで収束されて、電荷結合素子（ＣＣＤ）に結像される。例えば、このＣＣＤはプリント基板に実装されており、このプリント基板はＣＣＤの出力を映像信号処理して出力する制御回路を備えている。ピンホールカメラは、前記収束レンズ、前記ＣＣＤ、前記プリント基板をケース内に収容しているということもできる。そして、例えば、ピンホールカメラは、映像信号を出力し、電源が入力される入出力端子（コネクタ端子）を有している。
【００１７】
なお、取り付け部材はピンホールカメラを着脱自在に取り付け可能とは、ピンホールカメラを取り付け部材に組み立てることができ、取り付け部材からピンホールカメラを分離できることと同義である。例えば、取り付け部材は、ピンホールカメラをねじなどの締結具で取り付けることができる。着脱自在な他の締結手段を用いてもよい。
【００１８】
（１）の発明は、取り付け部材が平坦部と固定部とを備えている。平坦部はドア又は窓ガラスに貼着可能としている。固定部は、この平坦部に対してピンホールの形成面が近接又は離反可能に前記ピンホールカメラが固定される。
【００１９】
例えば、平坦部に接着剤を塗布、又は両面接着テープを貼り付けて、ドアスコープを有するドア又は窓ガラスに貼着することができる。取り付け部材にピンホールカメラを取り付けて、ドアスコープとピンホールを位置合わせした後にドアに取り付け部材を貼着することが好ましい。ピンホールカメラであれば、ドアスコープの光軸とピンホールの中心が多少ずれても実用上は支障がない。そして、ピンホールカメラを平坦部に対してピンホールの形成面を近接又は離反して取り付け、位置を調整できる。
【００２０】
本発明は、小型監視カメラとしてピンホールカメラを採用したことによる利点もある。周知のとおり、一般のレンズ付き監視カメラと異なり、ピンホールカメラは焦点合わせが不要である。したがって、従来技術のように、焦点距離を調整するための機構を不要としている。又、一般のレンズ付き監視カメラと異なり、ピンホールカメラはレンズを保持するいわゆる鏡筒を短くできる。したがって、例えば、この監視カメラをドアに取り付けた場合に、室内への突出長を短くできるというメリットがある。
【００２１】
更に、近年における電子部品の軽量小型化の進展により、ピンホールカメラは大変軽量化している。したがって、取り付け部材を用いてピンホールカメラをドアに貼着した場合でも、ドアの開閉による衝撃によっても、監視カメラが不用意にドアから離脱する可能性が低くなる。又、この監視カメラを車両の窓ガラスに貼着した場合でも、車両の走行時の振動で監視カメラが不用意に窓ガラスから離脱する可能性が低くなる。
【００２２】
又、本発明は、ピンホールカメラを取り付け部材の平坦部に対して近接又は離反して取り付け、位置を調整できることによる利点もある。一般に、ドアスコープの端部はドア面から突出している。そして、ドアスコープの端部にピンホールの形成面を近接させることが、好ましい配置である。しかし、ドアスコープの端部の突出量は、メーカーによって様々である。この発明の監視カメラは、このようなドアスコープの端部の異なる突出量に対応すべく位置調整可能な構造を有している。
【００２３】
（２）  前記ピンホールカメラは前記固定部に回動可能に取り付けられる（１）記載の監視カメラ。
【００２４】
（２）の発明は、ピンホールカメラは、取り付け部材の固定部に回動可能に取り付けられるので、例えば、車両のリヤウィンドウ、又はサイドウィンドウにこのピンホールカメラを貼り付けることにより、死角をカバーすることができる。この発明による監視カメラは、平坦部に直交する軸線に対して、例えば、プラス・マイナス２０度の回動角度を実現できる。
【００２５】
（３）  前記ピンホールカメラは、前記ピンホールの形成面を有する鏡筒部が突出する略直方体のケースを備え、前記固定部は、前記平坦部に対して略直角に屈折する一対の固定片から成り、前記ケースにおいて対向する一対の側面が前記一対の固定片で挟持され、かつ、この一対の側面が前記一対の固定片にねじ止めされる（１）又は（２）記載の監視カメラ。
【００２６】
（３）の発明は、ピンホールカメラは、ピンホールの形成面を有する鏡筒部が突出する略直方体のケースを備えている。そして、固定部は、平坦部に対して略直角に屈折する一対の固定片から成っている。このケースにおいて対向する一対の側面が一対の固定片で挟持される。又、この一対の側面が一対の固定片にねじ止めされる。
【００２７】
ここで、ケースにおいて対向する一対の側面の幅は、一対の固定片における内壁間の距離より僅かに大きく、一対の固定片が弾性変形して、このケースを挟持することが好ましい。又、前記一対の側面に雌ねじが形成され、例えば、ビスなどで一対の固定片にねじ止めされる。そして、平坦部に対してピンホールの形成面が近接又は離反できるように、ビスのねじ部が入る一対の長穴が一対の固定片に形成されてよい。
【００２８】
（４）  前記取り付け部材は、前記平坦部の略中央部に前記固定部が設けられ、前記ピンホールと対向する当該平坦部に映像取り込み可能な貫通穴が設けられる（１）から（３）のいずれかに記載の監視カメラ。
【００２９】
（４）の発明は、取り付け部材が平坦部の略中央部に固定部が設けられている。そして、前記ピンホールと対向する平坦部に映像取り込み可能な貫通穴が設けられている。例えば、固定部は平坦部の一方の端部に設けられてもよく、固定部は平坦部の中央部に設けられてもよい。しかし、重量バランスの観点からは、固定部は平坦部の中央部に設けられることが好ましい。言い換えれば、ピンホールカメラの両翼に平坦部が延出している態様が好ましい。そして、ピンホールと対向する平坦部に映像取り込み可能な貫通穴が設けられる。又、ドア面から突出するドアスコープの端部を回避する目的で、この貫通穴は設けられている。死角をカバーするためには、貫通穴は大きいことが好ましいが、平坦部の接着強度や、取り付け部材全体の機械的強度から、貫通穴の大きさは適宜、設定される。
【００３０】
（５）  前記ピンホールカメラに接続されるケーブルを留めるクランプ部が前記平坦部に複数設けられている（１）から（４）のいずれかに記載の監視カメラ。
【００３１】
（５）の発明は、このように、ピンホールカメラに接続されるケーブルを留めるクランプ部が平坦部に複数設けられているので、ドア又は窓ガラスにケーブルクランプを別途に設ける必要がない。
【００３２】
（６）  前記取り付け部材は金属板で成形される（１）から（５）のいずれかに記載の監視カメラ。
【００３３】
例えば、取り付け部材は、合成樹脂で成形されてもよく、金属板で成形されてもよい。安価で、成形容易であり、機械的強度が保障されるためには、金属板で成形されることが好ましい。金属板としては、比較的軽量のアルミニウム板が好ましい。
【００３４】
（７）  前記ピンホールカメラ及び前記取り付け部材は黒色に被覆される（１）から（６）のいずれかに記載の監視カメラ。
【００３５】
（７）の発明は、前記ピンホールカメラ及び取り付け部材が黒色に被覆されているので、ピンホールカメラが取得すべき画像以外の反射光を吸収できる。そして、ピンホールカメラに設けられる自動輝度調整機能が有効に作用して好ましい映像を得ることができる。なお、ピンホールカメラ及び取り付け部材は黒色に塗装されてもよく、黒色にメッキされてもよい。ピンホールカメラ及び取り付け部材が合成樹脂などの素材で形成される場合は、黒色の素材を使用してもよい。
【００３６】
（８）  ドアスコープを有するドア又は窓ガラスに監視カメラを取り付ける方法であって、ピンホールを通して得られる画像を映像出力するピンホールカメラと、このピンホールカメラを着脱自在に取り付け可能な取り付け部材と、備え、前記取り付け部材は平坦部と固定部を備え、前記平坦部は前記ドア又は窓ガラスに貼着され、この平坦部に対して前記ピンホールの形成面が近接又は離反可能に前記ピンホールカメラが固定される監視カメラの取り付け方法。
【００３７】
（９）  前記ピンホールカメラは前記固定部に回動可能に取り付けられる（８）記載の監視カメラの取り付け方法。
【発明の効果】
【００３８】
本発明による監視カメラは、ピンホールカメラとピンホールカメラを着脱自在に取り付け可能な取り付け部材とを備えている。取り付け部材は、ドア又は窓ガラスに貼着可能な平坦部と、平坦部に対して近接又は離反可能にピンホールカメラが固定される固定部と、を備えている。したがって、焦点距離を調整するための機構を不要としている。そして、ピンホールカメラは軽量であり、ドアスコープを有するドアから容易に離脱することなく取り付けることができる。又、車両の窓ガラスにも好適に取り付けることができる。
【００３９】
本発明による監視カメラをドアに取り付けた場合に、室内への突出長を短くできるというメリットがある。この発明の監視カメラは、ドアスコープの端部の異なる突出量に対応すべく位置調整可能な構造を有している。
【発明を実施するための最良の形態】
【００４０】
以下、図面を参照して本発明を実施するための最良の形態を説明する。
【００４１】
図１は、本発明による監視カメラの一実施形態を示す斜視分解組立図である。図１は、監視カメラがドアスコープを有するドアに取り付けられる場合を示している。図２は、前記実施形態による監視カメラの斜視分解組立図である。図２は、図１と反対側から監視カメラを観ている。図３は、前記実施形態による監視カメラの斜視分解組立図である。図３は、監視カメラが窓ガラスに取り付けられる場合を示している。
【００４２】
図４は、前記実施形態による監視カメラの側面図である。図４は、監視カメラがドアスコープを有するドアに取り付けられる場合を示している。図５は、前記実施形態による監視カメラの側面図である。図５は、監視カメラが窓ガラスに取り付けられる場合を示している。図６は、前記実施形態による監視カメラの背面図である。図７は、前記実施形態による取り付け部材の展開図である。
【００４３】
最初に、本発明による監視カメラの構成を説明する。図１から図３において、監視カメラ１０は、ピンホールカメラ１と取り付け部材２を備えている。ピンホールカメラ１はピンホール１ａを通して得られる画像を映像出力する。取り付け部材２は、ピンホールカメラ１を着脱自在に取り付け可能としている。
【００４４】
図１から図３において、ピンホールカメラ１はピンホール１ａを通して画像が入射され、この入射画像が収束レンズ（図示せず）で収束されて、図示されない電荷結合素子（ＣＣＤ）に結像される。例えば、このＣＣＤはプリント基板（図示せず）に実装されており、このプリント基板はＣＣＤの出力を映像信号処理して出力する制御回路を備えている。ピンホールカメラ１は、収束レンズ、ＣＣＤ、プリント基板をケース１２内に収容しているということもできる。そして、ピンホールカメラ１は、映像信号を出力する端子１２ｅを有している。
【００４５】
図１から図３において、取り付け部材２は平坦部２１と固定部２２とを備えている。平坦部２１はドア３又は窓ガラス４に貼着可能としている。固定部２２は、平坦部２１に対してピンホール１ａの形成面が近接又は離反可能にピンホールカメラ１が固定される（図４参照）。図４において、ピンホール１ａの形成面が近接する方向を矢印Ｘ１、ピンホール１ａの形成面が離反する方向を矢印Ｘ２としている。又、ピンホールカメラ１は固定部２２に回動可能に取り付けられる（図５参照）。
【００４６】
図１から図３に示されるように、ピンホールカメラ１は、ピンホール１ａの形成面を有する鏡筒部１１が突出する略直方体のケース１２を備えている。そして、固定部２２は、平坦部２１に対して略直角に屈折する一対の固定片２２ａ・２２ｂから成っている。ケース１２において対向する一対の側面１２ａ・１２ｂが一対の固定片２２ａ・２２ｂで挟持される。又、この一対の側面１２ａ・１２ｂが一対の固定片２２ａ・２２ｂにねじ止めされる。
【００４７】
ここで、ケース１２において対向する一対の側面１２ａ・１２ｂの幅は、一対の固定片２２ａ・２２ｂにおける内壁間の距離より僅かに大きく、一対の固定片２２ａ・２２ｂが弾性変形して、ケース１２を挟持している。又、一対の側面１２ａ・１２ｂに雌ねじ１２ｃ・１２ｄが形成され、例えば、ビス２ｓなどで一対の固定片２２ａ・２２ｂにねじ止めされる。そして、平坦部２１に対してピンホール１ａの形成面が近接又は離反できるように、ビス２ｓのねじ部が入る一対の長穴２２ｃ・２２ｄが一対の固定片２２ａ・２２ｂに形成されている。
【００４８】
図１から図３において、一対の雌ねじ１２ｃ・１２ｄが形成される面は、一対の側面１２ａ・１２ｂから僅かに突出している。この突出部は、一対の雌ねじ１２ｃ・１２ｄを中心とした円弧で形成され、当該円弧に連続してケース１２の背面に至る方形に形成されている。この前円後方形の突出部は、一対の長穴２２ｃ・２２ｄに嵌合して、ピンホールカメラ１がスライドする機能を有している。ピンホールカメラ１が回動するときは、一対の固定片２２ａ・２２ｂを僅かに押し広げて回動する。
【００４９】
ここで、固定部２２は平坦部２１の一方の端部に設けられてもよく、固定部２２は平坦部２１の中央部に設けられてもよい。しかし、重量バランスの観点からは、固定部２２は平坦部２１の中央部に設けられることが好ましい。言い換えれば、ピンホールカメラ１の両翼に平坦部２１ａ・２１ｂが延出している態様が好ましい（図６参照）。
【００５０】
そして、図１から図３に示されるようにピンホール１ａと対向する平坦部２１に映像取り込み可能な貫通穴２３が設けられている。又、ドア面から突出するドアスコープ３１の端部３１ａを回避する目的で、貫通穴２３は設けられている。死角をカバーするためには、貫通穴２３は大きいことが好ましいが、平坦部２１の接着強度や、取り付け部材２全体の機械的強度から、貫通穴２３の大きさは適宜、設定される。
【００５１】
本発明による監視カメラ１０は、例えば、平坦部２１に接着剤を塗布、又は両面接着テープ５を貼り付けて、ドアスコープ３１を有するドア３（図４参照）又は窓ガラス４（図５参照）に貼着することができる。取り付け部材２にピンホールカメラ１を取り付けて、ドアスコープ３１とピンホール１ａを位置合わせした後にドア３に取り付け部材２を貼着することが好ましい。ピンホールカメラであれば、ドアスコープ３１の光軸とピンホール１ａの中心が多少ずれても実用上は支障がない。そして、ピンホールカメラ１を平坦部２１に対してピンホール１ａの形成面を近接又は離反して取り付け、位置を調整できる。
【００５２】
本発明は、小型監視カメラとしてピンホールカメラを採用したことによる利点もある。周知のとおり、一般のレンズ付き監視カメラと異なり、ピンホールカメラは焦点合わせが不要である。したがって、従来技術のように、焦点距離を調整するための機構を不要としている。又、一般のレンズ付き監視カメラと異なり、ピンホールカメラはレンズを保持する鏡筒部１１を短くできるという利点もある。したがって、例えば、この監視カメラ１０をドア３に取り付けた場合に、室内への突出長を短くできるというメリットがある。
【００５３】
更に、近年における電子部品の軽量小型化の進展により、ピンホールカメラは大変軽量化している。したがって、取り付け部材２を用いてピンホールカメラ１をドア３に貼着した場合でも、ドア３の開閉による衝撃によっても、監視カメラ１０が不用意にドア３から離脱する可能性が低くなる（図４参照）。又、この監視カメラ１０を車両の窓ガラス４に貼着した場合でも、車両の走行時の振動で監視カメラ１０が不用意に窓ガラス４から離脱する可能性が低くなる（図５参照）。
【００５４】
又、本発明の監視カメラ１０は、ピンホールカメラ１を取り付け部材２の平坦部２１に対して近接又は離反して取り付け、位置を調整できることによる利点もある。一般に、ドアスコープ３１の端部３１ａはドア面から突出している。そして、ドアスコープ３１の端部３１ａにピンホールの形成面を近接させることが、好ましい配置である（図４参照）。しかし、ドアスコープ３１の端部３１ａの突出量は、メーカーによって様々である。この発明の監視カメラ１０は、このようなドアスコープ３１の端部３１ａの異なる突出量に対応すべく位置調整可能な構造を有していることにメリットがある。
【００５５】
図５において、ピンホールカメラ１は、取り付け部材２の固定部２２に回動可能に取り付けられるので、例えば、車両のリヤウィンドウ、又はサイドウィンドウにこのピンホールカメラ１を貼り付けることにより、死角をカバーすることができる。この発明による監視カメラ１０は、平坦部２１に直交する軸線に対して、例えば、一方の回動方向Ｌと他方の回動方向Ｒに各２０度の回動角度を実現できる。
【００５６】
図１又は図３において、ピンホールカメラ１に接続されるケーブル１ｄを留めるクランプ部２４が平坦部２１に複数設けられている。ケーブル１ｄの一方の端末にはコネクタ１ｃが設けられ、コネクタ１ｃは端子１２ｅに接続される。ケーブル１ｄの他方の端末は、例えば、パーソナルコンピュータに備わるＣＲＴ（図示せず）に接続されてピンホールカメラ１が出力する映像を監視することができる。
【００５７】
このように、この発明による監視カメラ１０は、ピンホールカメラ１に接続されるケーブル１ｄを留めるクランプ部２４が平坦部２１に複数設けられているので、ドア３又は窓ガラス４にケーブルクランプを別途に設ける必要がないという利点がある。
【００５８】
例えば、取り付け部材２は、合成樹脂で成形されてもよく、金属板で成形されてもよい。安価で、成形容易であり、機械的強度が保障されるためには、金属板で成形されることが好ましい。金属板としては、比較的軽量のアルミニウム板が好ましい。
【００５９】
本発明による取り付け部材２は、実施態様としてアルミニウム板が成形されている。本発明による取り付け部材２は、資源を有効に利用している。図７に示されるように、成形前の取り付け部材２は長方形状の平板であり、予め、貫通穴２３と一対の長穴２２ｃ・２２ｄが打ち抜き加工されている。又、折り曲げられる一対の固定片２２ａ・２２ｂの両翼はスリットが予め、打ち抜き加工されている。
【００６０】
そして、図７の２点鎖線で示されるように、折り曲げ加工により一対の固定片２２ａ・２２ｂが形成される。一方、図７の２点鎖線で示されるように、複数のクランプ部２４は、平坦部２１がプレス加工されることにより、形成される。複合金型により、一対の固定片２２ａ・２２ｂ及び複数のクランプ部２４が同時に成形されてもよい。
【００６１】
又、本発明において、ピンホールカメラ１及び取り付け部材２は黒色に被覆されている。このように黒色に被覆することにより、ピンホールカメラ１が取得すべき画像以外の反射光を吸収できるようにしている。そして、ピンホールカメラに設けられる自動輝度調整機能が有効に作用して好ましい映像を得ることができる。なお、ピンホールカメラ１及び取り付け部材２は黒色に塗装されてもよく、黒色にメッキされてもよい。ピンホールカメラ１の及び取り付け部材２が合成樹脂などの素材で形成される場合は、黒色の素材を使用してもよい。
【００６２】
本発明による監視カメラは、例えば、ドアスコープを有するドア、又は室内の窓ガラスに設置される場合は、パーソナルコンピュータにこの監視カメラを接続して、パーソナルコンピュータに備わるＣＲＴで映像を取り込むことができる。又、本発明による監視カメラを車両の窓ガラスに設置する場合は、例えば、カーナビゲーションシステムにこの監視カメラを接続して、カーナビゲーションシステムに備わるディスプレイで映像を取り込むことができる。
【図面の簡単な説明】
【００６３】
【図１】本発明による監視カメラの一実施形態を示す斜視分解組立図である。
【図２】前記実施形態による監視カメラの斜視分解組立図である
【図３】前記実施形態による監視カメラの斜視分解組立図である。
【図４】前記実施形態による監視カメラの側面図である。
【図５】前記実施形態による監視カメラの側面図である。
【図６】前記実施形態による監視カメラの背面図である。
【図７】前記実施形態による取り付け部材の展開図である。
【図８】従来技術による監視カメラ付きの撮像装置の内部構成を示す図である。
【符号の説明】
【００６４】
１    ピンホールカメラ
１ａ    ピンホール
２    取り付け部材
３    ドア
４    窓ガラス
１０    監視カメラ
２１    平坦部
２２    固定部
３１    ドアスコープ
【図１】
2006197091.tif 000003
【図２】
2006197091.tif 000004
【図３】
2006197091.tif 000005
【図４】
2006197091.tif 000006
【図５】
2006197091.tif 000007
【図６】
2006197091.tif 000008
【図７】
2006197091.tif 000009
【図８】
2006197091.tif 000010